(57)【要約】【課題】演算処理装置の電源電圧の異常に対して制御機能を極力継続させることができる車両の制御装置を提供する。【解決手段】メイン制御装置１１の演算処理装置１１ａの動作を監視する機能と、演算処理装置１１ａの電源電圧Ｖｃｃを監視する機能とを有し、演算処理装置１１ａの動作が正常な状態で電源電圧Ｖｃｃが適正範囲から外れているときに、メイン制御装置１１からの制御指令に基づき動作する複数のサブ制御装置１２，１３，１４，１５・・・の制御機能を部分的に制限する。【選択図】図１
2015093498.tif 000002
【特許請求の範囲】
【請求項１】
制御指令を出力するメイン制御装置と、前記制御指令に応じて制御対象を制御する複数のサブ制御装置とを含む車両の制御装置であって、
前記メイン制御装置の演算処理装置の動作を監視する機能と、前記演算処理装置の電源電圧を監視する機能とを有し、前記演算処理装置の動作が正常な状態で前記電源電圧が適正範囲から外れているときに、前記複数のサブ制御装置の制御機能を部分的に制限する、車両の制御装置。
【請求項２】
前記サブ制御装置の制御機能の制限は、前記メイン制御装置から出力される制御指令によって行われる、請求項１記載の車両の制御装置。
【請求項３】
前記複数のサブ制御装置のうちの一部のサブ制御装置について制御機能を停止させる、請求項１又は２記載の車両の制御装置。
【請求項４】
前記複数のサブ制御装置それぞれの制御機能の種別に応じて、制御機能を停止させるサブ制御装置と制御機能を継続させるサブ制御装置とが選定される、請求項３記載の車両の制御装置。
【請求項５】
前記演算処理装置の動作が正常な状態で前記電源電圧が適正範囲から高圧側に外れているときに、前記複数のサブ制御装置の制御機能を部分的に制限する、請求項１から４のいずれか１つに記載の車両の制御装置。
【請求項６】
前記電源電圧を監視する機能は、前記メイン制御装置及び前記複数のサブ制御装置のうちの少なくとも１つが備える、請求項１から５のいずれか１つに記載の車両の制御装置。
【請求項７】
前記メイン制御装置における電源電圧の監視結果と前記サブ制御装置における電源電圧の監視結果との組み合わせに応じて、前記複数のサブ制御装置の制御機能の制限処理のパターンを変更する、請求項１から６のいずれか１つに記載の車両の制御装置。
【発明の詳細な説明】
【技術分野】
【０００１】
本発明は、車両の制御装置に関し、詳しくは、演算処理装置の電源電圧が適正範囲から外れた場合の制御技術に関する。
【背景技術】
【０００２】
特許文献１には、マイコンの電源電圧をモニタして出力電圧低下を検出すると、前記マイコンをリセット状態に保持させると共に車載負荷の駆動を禁止する、車両用電子制御装置が開示されている。
【先行技術文献】
【特許文献】
【０００３】
【特許文献１】特開２０１３−０１８３４３号公報
【発明の概要】
【発明が解決しようとする課題】
【０００４】
車両安全の改善のために、車線逸脱警報や自動ブレーキなどの機能を有する先進運転支援システムＡＤＡＳ（ADVANCED DRIVER ASSISTANCE SYSTEMS）を車両に備える場合がある。
前記ＡＤＡＳは、例えば、制御指令を出力するメイン制御装置と、メイン制御装置からの制御指令に基づいて車線逸脱警報や自動ブレーキなどをそれぞれに実施する複数のサブ制御装置とで構成される。
【０００５】
ここで、ＡＤＡＳにおいては、機能安全上から、演算処理装置（マイコン）の電源電圧の低圧異常と共に高圧異常についても検知してフェイル処理を実施することが望まれるが、電源電圧の異常に対して一律に演算処理装置を停止（リセット）させるなどの処理を実施した場合、ＡＤＡＳの全機能が停止することになる。
しかし、ＡＤＡＳの制御機能に慣れた運転者が、ＡＤＡＳの機能停止に気付かずに運転を継続したり、ＡＤＡＳの機能停止の影響を十分に理解しないまま運転したりすると、操縦性の変化によって違和感を持つ可能性があった。
【０００６】
本発明は上記問題点に鑑みなされたものであり、演算処理装置の電源電圧の異常に対して制御機能を極力継続させることができる車両の制御装置を提供することを目的とする。
【課題を解決するための手段】
【０００７】
そのため、本願発明では、制御指令を出力するメイン制御装置と、前記制御指令に応じて制御対象を制御する複数のサブ制御装置とを含む車両の制御装置であって、前記メイン制御装置の演算処理装置の動作を監視する機能と、前記演算処理装置の電源電圧を監視する機能とを有し、前記演算処理装置の動作が正常な状態で前記電源電圧が適正範囲から外れているときに、前記複数のサブ制御装置の制御機能を部分的に制限するようにした。
【発明の効果】
【０００８】
上記発明によると、演算処理装置の電源電圧が適正範囲から外れる異常状態であっても演算処理装置が正常動作している場合に、複数のサブ制御装置の制御機能を部分的に制限することで、安全性を確保しつつ車両の操縦性の変化を抑制することができる。
【図面の簡単な説明】
【０００９】
【図１】本発明の実施形態における車両の制御システムを示すブロック図である。
【図２】本発明の実施形態において高電圧異常状態でＡＤＡＳ機能のうちで停止させる機能の選択パターンを例示する図である。
【図３】本発明の実施形態において高電圧異常状態でＡＤＡＳ機能のうちで停止させる機能の選択パターンを例示する図である。
【発明を実施するための形態】
【００１０】
以下に本発明の実施の形態を説明する。
図１は、車両に備えられる制御系のシステム構成を例示する図であり、複数の電子制御装置（ＥＣＵ）１１，１２，１３，１４，１５・・・が、ＣＡＮ（Controller Area Network、コントローラー・エリア・ネットワーク）によって相互に通信可能に接続される。
【００１１】
複数の電子制御装置（ＥＣＵ）１１，１２，１３，１４，１５・・・のうちの第１電子制御装置１１は、先進運転支援システムＡＤＡＳ（ADVANCED DRIVER ASSISTANCE SYSTEMS）の制御装置である。
また、第２電子制御装置１２、第３電子制御装置１３、第４電子制御装置１４、第５電子制御装置１５・・・は、ブレーキ制御（制動力制御）を行う制御装置、車両の駆動力を発生するエンジンを制御する制御装置、車両の運転席に設けた表示装置を制御する制御装置、変速機を制御する制御装置などである。
【００１２】
先進運転支援システムＡＤＡＳの制御装置である第１電子制御装置１１は、ＣＰＵ（演算処理装置、マイコン）１１ａ、バッテリ電圧監視回路１１ｂ、電源回路１１ｃ、電源電圧監視回路１１ｄ、ＣＰＵ監視回路１１ｅ、ＣＡＮ通信回路１１ｆなどを備える。
バッテリ電圧監視回路１１ｂは、バッテリ電圧ＶＢをモニタした結果を、ＣＰＵ１１ａに出力する。
電源回路１１ｃは、バッテリ電圧ＶＢ（例えば１２Ｖ）をＣＰＵ１１ａの定格電源電圧（例えば５Ｖ）にまで低下させてＣＰＵ１１ａの電源電圧Ｖｃｃとして出力する回路である。
【００１３】
電源電圧監視回路１１ｄは、電源回路１１ｃが出力する電源電圧Ｖｃｃを監視し、電源電圧Ｖｃｃに異常が発生しているか否か、詳細には、定格電圧（適正範囲）よりも電源電圧Ｖｃｃが低くなる低電圧異常の有無、及び、定格電圧（適正範囲）よりも電源電圧Ｖｃｃが高くなる高電圧異常の有無を診断し、監視結果を同じ第１電子制御装置１１に含まれるＣＰＵ１１ａ及び外部の電子制御装置である第２電子制御装置１２に出力する。
なお、電源電圧監視回路１１ｄは、電源電圧Ｖｃｃが定格電圧（適正範囲）よりも低い低電圧異常を検出したときにＣＰＵ１１ａをリセットさせる処理（リセット信号の出力）を実施する構成とすることができる。
【００１４】
ＣＰＵ監視回路１１ｅは、例えば、ＣＰＵ１１ａが出力するプログラムラン信号などからＣＰＵ１１ａの動作状態を監視する回路であり、ＣＰＵ１１ａの動作に異常が発生すると、ＣＰＵ１１ａをリセットさせる処理（リセット信号の出力）を実施する。
ＣＡＮ通信回路１１ｆは、ＣＡＮを介して他の電子制御装置との間で通信を行うための回路である。
【００１５】
第２電子制御装置１２は、ＣＰＵ１２ａ、バッテリ電圧監視回路１２ｂ、ＣＡＮ通信回路１２ｃなどを含み、ＣＰＵ１２ａには、第１電子制御装置１１の電源電圧監視回路１１ｄからの電源電圧Ｖｃｃの異常診断信号が入力される。
第２電子制御装置１２、第３電子制御装置１３、第４電子制御装置１４、第５電子制御装置１５・・・は、第１電子制御装置１１からＡＤＡＳ用の制御指令を受けて、各制御対象（アクチュエータ）に操作信号を出力する。つまり、第１電子制御装置１１は、制御指令を出力するメイン制御装置であり、第２電子制御装置１２、第３電子制御装置１３、第４電子制御装置１４、第５電子制御装置１５・・・は、第１電子制御装置１１からの制御指令に応じて制御対象を制御するサブ制御装置である。
【００１６】
ＡＤＡＳの機能は、例えば、走行関連の機能、警告関連の機能、安全関連の機能、機能安全に影響する機能に種別することができる。
走行関連の機能として、本実施例のＡＤＡＳは、例えば、車速及び前走車との距離を自動的に制御する定速走行・車間距離制御（ＡＣＣ：Adaptive Cruise Control）や、ブレーキや駆動力を制御して車両の横滑りを軽減するビークル・ダイナミクス・コントロール（ＶＤＣ： Vehicle Dynamics Control）などの機能を備える。
【００１７】
また、警告関連の機能として、本実施例のＡＤＡＳは、例えば、前走車と衝突の惧れがある場合に運転者に表示や音で警報する前方衝突警報（ＦＣＷ: Forward Collision Warning）や、車両が車線からはみ出した場合に運転者に表示や音で警告する車線逸脱警報（ＬＤＷ：Lane Departure Warning）などの機能を備える。
【００１８】
また、安全関連の機能として、本実施例のＡＤＡＳは、例えば、近接車に対して運転者がレーンチェンジを開始すると表示と音で警告し、隣接レーンの車両に近づかないようにヨーモーメントを発生させるサイド・コリジョン・プリベンション（ＳＣＰ）や、後退時に後方の車両を検知するとブレーキを作動させるバックアップ・コリジョン・プリベンション（ＢＣＰ）などの機能を備える。
更に、機能安全に影響する機能として、本実施例のＡＤＡＳは、例えば、前方の車両などと衝突の惧れがある場合にブレーキを自動的に作動させる衝突回避ブレーキ（ＦＣＡ：Forward Collision Avoidance Assist）などの機能を備える。
【００１９】
そして、第１電子制御装置１１は、前述したＡＤＡＳの各機能を実現するために、ブレーキや駆動力などの制御指令を第２電子制御装置１２、第３電子制御装置１３、第４電子制御装置１４、第５電子制御装置１５・・・に出力する。
なお、ＡＤＡＳの機能は上述したものに限定されず、公知の種々の運転支援機能を適宜採用することができ、また、ＡＤＡＳの機能として、走行関連の機能、警告関連の機能、安全関連の機能、機能安全に影響する機能の全てを備える構成に限定するものでもない。
【００２０】
上記構成の車両の制御系（ＡＤＡＳ制御システム）において、第１電子制御装置１１のＣＰＵ１１ａの電源電圧Ｖｃｃに高電圧異常が発生していても、第１電子制御装置１１のＣＰＵ１１ａが正常に動作している場合、第１電子制御装置１１は、ＡＤＡＳとしての機能のうちの少なくとも一部を継続させ、他の機能を停止させるフェイル処理を行う。
これにより、第１電子制御装置１１の電源電圧Ｖｃｃの高電圧異常が発生したときに、第１電子制御装置１１によって誤って車両が制御されることを抑制しつつ、ＡＤＡＳ機能を極力継続させ、車両の操縦性の変化を抑制する。
【００２１】
ここで、電源電圧Ｖｃｃの高電圧異常の有無は、電源電圧監視回路１１ｄから第１電子制御装置１１のＣＰＵ１１ａ及び第２電子制御装置１２のＣＰＵ１２ａに出力され、第２電子制御装置１２は、電源電圧Ｖｃｃの高電圧異常を検知したか否かの情報をＣＡＮを介して第１電子制御装置１１に出力する。
そして、第１電子制御装置１１は、ＣＰＵ１１ａが正常に動作している場合に、自己のＣＰＵ１１ａと第２電子制御装置１２のＣＰＵ１２ａとの少なくとも一方が高電圧異常の発生を検知していれば、ＡＤＡＳの一部の機能を停止させるフェイル処理を行う。
【００２２】
ＣＡＮを介して接続される複数の電子制御装置１１，１２，１３，１４，１５・・・は、ＣＡＮを介して他の電子制御装置から送られる信号に基づき他の電子制御装置の異常の有無を診断する機能を有し、診断結果に基づき自己の制御動作をフェイルモードに切り替えたり、診断結果を他の電子制御装置に送信したり、他の電子制御装置からの診断結果に基づき自己の制御動作をフェイルモードに切り替えたりする機能を備えることができる。
なお、第１電子制御装置１１のＣＰＵ１１ａの電源電圧Ｖｃｃの異常を診断する電源電圧監視回路を、第１電子制御装置１１以外の電子制御装置に設けたり、いずれの電子制御装置にも含まれない単体のユニットとしたりすることができる。
【００２３】
図２は、第１電子制御装置１１のＣＰＵ１１ａが正常に動作していて、ＣＰＵ１１ａの電源電圧Ｖｃｃの異常（高電圧異常）が診断されたときに、ＡＤＡＳの各機能のうちで停止させる機能と継続させる機能との選択パターンを例示する。
パターン１は、第１電子制御装置１１及び第２電子制御装置１２が共に、ＣＰＵ１１ａの電源電圧Ｖｃｃの高電圧異常を検知していない場合である。
【００２４】
この場合、ＣＰＵ１１ａが正常動作していてかつ電源電圧Ｖｃｃも正常であるので、第１電子制御装置１１は、ＡＤＡＳとしての機能を実現するための制御指令を正しく出力することができ、ＡＤＡＳの各機能を停止させる処理は不要である。
そこで、パターン１の場合は、第１電子制御装置１１は、ＡＤＡＳとしての各機能を実現するための制御指令の出力を通常に実施する。
【００２５】
パターン２は、第２電子制御装置１２が第１電子制御装置１１のＣＰＵ１１ａの電源電圧Ｖｃｃの高電圧異常を検知していて、第１電子制御装置１１が自己のＣＰＵ１１ａの電源電圧Ｖｃｃの高電圧異常を検知していない場合である。
この場合、実際に電源電圧Ｖｃｃの高電圧異常が発生しているのに、係る高電圧異常を第１電子制御装置１１（ＣＰＵ１１ａ）が認識できていない（電源電圧Ｖｃｃが正常であると誤検知している）可能性があり、ＣＰＵ１１ａについての自己診断結果は正常であっても、第１電子制御装置１１が誤った制御指令を出力する可能性がある。
【００２６】
そこで、パターン２の場合、第１電子制御装置１１は、車両の制動力や駆動トルクを自動制御することで車両の走行を自動的に変化させるＡＤＡＳの機能である走行関連の機能、安全関連の機能、機能安全に影響する機能を停止する一方で、運転者に警告を行うものの車両の走行を直接には変化させることのない警告関連の機能は継続させる。
なお、ＡＤＡＳの機能の停止には、第１電子制御装置１１からの制御指令の出力を停止することの他、電子制御装置１２，１３，１４，１５・・・が、第１電子制御装置１１からの制御指令（ＡＤＡＳ機能）に基づく操作量出力を停止することなどが含まれる。つまり、結果的にＡＤＡＳの機能に基づくアクチュエータの操作が停止（制限）されることになる処理がＡＤＡＳの機能の停止処理である。
【００２７】
これにより、第１電子制御装置１１が誤った制御指令を設定することがあったとしても、車両走行が誤って自動制御されることを抑制でき、また、警告関連の機能については継続されＡＤＡＳの全機能が停止することがなく、ＡＤＡＳの全機能を停止させる場合に比べ操縦性の変化を抑制することができる。
電源電圧Ｖｃｃの低電圧異常が発生した場合には、ＣＰＵ１１ａをリセットすることでＡＤＡＳの全機能を停止させるが、高電圧異常が発生したときにもＣＰＵ１１ａをリセットさせる構成とした場合、ＡＤＡＳの全機能が停止されることになる。
【００２８】
しかし、ＣＰＵ１１ａは、定格電圧（適正範囲）よりも電源電圧Ｖｃｃが低くなった場合には動作が不安定となるのに対し、電源電圧Ｖｃｃが定格電圧よりも高くなった場合にはある程度正常動作を保つことができる。
一方、ＡＤＡＳの制御機能に慣れた運転者が、ＡＤＡＳの機能停止に気付かずに運転を継続したり、ＡＤＡＳの機能停止の影響を十分に理解しないまま運転したりすると、車両の操縦性の変化によって違和感を持つ場合がある。
【００２９】
そこで、高電圧異常が発生していても第１電子制御装置１１（ＣＰＵ１１ａ）が正常に動作している間は、ＡＤＡＳ機能のうち動作が不安定になったとしても操縦性への影響が比較的小さい機能を継続させることで、操縦性が変化することを抑制する。
なお、パターン２の場合であって、走行関連の機能、安全関連の機能、機能安全に影響する機能を停止させる場合、第１電子制御装置１１は、車両の運転者にＡＤＡＳの一部機能が停止していること（走行関連の機能、安全関連の機能、機能安全に影響する機能が停止していること）を、音や表示によって警告することができる。
【００３０】
パターン３は、第１電子制御装置１１がＣＰＵ１１ａの電源電圧Ｖｃｃの高電圧異常を検知していて、第２電子制御装置１２が第１電子制御装置１１のＣＰＵ１１ａの電源電圧Ｖｃｃの高電圧異常を検知していない場合である。
この場合、ＣＰＵ１１ａについての診断結果は正常であっても、高電圧異常によって第１電子制御装置１１が誤った制御指令を出力する可能性がある。しかし、実際に高電圧異常状態であった場合、第１電子制御装置１１は係る高電圧異常を認識できていることになり、同じ高電圧異常状態であっても第１電子制御装置１１が認識できていない場合（パターン２）に比べて第１電子制御装置１１の動作の信頼性はより高くなる。
【００３１】
そこで、パターン３の場合、走行関連の機能、機能安全に影響する機能を停止させる一方で、警告関連の機能、安全関連の機能を継続させるようにする。
走行関連の機能、機能安全に影響する機能が誤った制御指令に基づき実施された場合、前走車との距離を不適切に変化させるなどの可能性があるのに対し、警告関連の機能は、誤った制御指令に基づき実施されても直接車両の走行に影響せず、また、安全関連の機能が誤った制御指令に基づき実施されても車両走行が安全側に導かれることになる。
【００３２】
つまり、パターン２の場合よりも第１電子制御装置１１のＣＰＵ１１ａが正しい制御指令を発する可能性が高いパターン３の場合には、ＡＤＡＳの機能のうちで継続させる機能を増大させ、電源電圧Ｖｃｃの高電圧異常が発生したときの操縦性の変化を抑制する。更に、警告関連の機能と安全関連の機能とを継続させる設定とすることで、第１電子制御装置１１の動作が不安定になっても車両の安全性への影響を抑制できる。
【００３３】
また、パターン３の場合、第１電子制御装置１１において実際に電源電圧Ｖｃｃの高電圧異常が発生しているのに、第２電子制御装置１２が係る高電圧異常を正しく認識できていない（電源電圧Ｖｃｃが正常であると誤検知している）可能性があり、この場合、第２電子制御装置１２が誤動作する可能性がある。
そこで、パターン３の場合、第１電子制御装置１１は、第３電子制御装置１３、第４電子制御装置１４、第５電子制御装置１５・・・に対し、第２電子制御装置１２の異常発生を知らせる信号を出力し、第３電子制御装置１３、第４電子制御装置１４、第５電子制御装置１５・・・における第２電子制御装置１２からの信号に基づく動作などを停止させるようにする。
【００３４】
なお、パターン３の場合、第１電子制御装置１１は、第２電子制御装置１２の異常発生を知らせる信号を他の電子制御装置に出力する処理と共に、又は異常発生を知らせる信号を出力する処理に代えて、第２電子制御装置１２が制御するアクチュエータの電源リレーをオフする処理などを実施することができる。
【００３５】
パターン４は、第１電子制御装置１１及び第２電子制御装置１２が、共にＣＰＵ１１ａの電源電圧Ｖｃｃの高電圧異常を検知している場合である。
この場合、パターン３と同様に、ＣＰＵ１１ａについての診断結果は正常であっても、高電圧異常によって第１電子制御装置１１が誤った制御指令を出力する可能性があるので、走行関連の機能、機能安全に影響する機能を停止させる一方で、警告関連の機能、安全関連の機能を継続させるようにする。
【００３６】
但し、第２電子制御装置１２も電源電圧Ｖｃｃの高電圧異常を検知していて、第２電子制御装置１２は正常に動作している可能性が高いので、パターン３とは異なり、第１電子制御装置１１は、第２電子制御装置１２の異常発生を知らせる信号を出力する処理を実施しない。
電源電圧Ｖｃｃの高電圧異常が発生したときに、ＡＤＡＳの機能のうちで停止させる機能と継続させる機能との選択パターンは、図２に例示したパターンに限定されるものではなく、車両の安全性や操作性などを考慮して適宜設定することができる。
【００３７】
図３は、選択パターンの別の例を示すものであり、図２に示した選択パターンに比べ、高電圧異常が発生したときに継続させるＡＤＡＳ機能をより少なく限定した例を示す。
図３に示す選択パターンでは、第１電子制御装置１１及び第２電子制御装置１２が共に高電圧異常を検知していないパターン１の場合、図２に例示した選択パターンと同様に、第１電子制御装置１１によるＡＤＡＳ機能を全て通常通りに実施させる。
【００３８】
一方、第２電子制御装置１２が第１電子制御装置１１のＣＰＵ１１ａの電源電圧Ｖｃｃの高電圧異常を検知していて、第１電子制御装置１１がＣＰＵ１１ａの電源電圧Ｖｃｃの高電圧異常を検知していないパターン２の場合、図２に示した例では警告関連の機能を継続させるが、図３に示す例では、警告関連の機能を含むＡＤＡＳ機能の全てを停止させることで、警告動作を含めてＡＤＡＳ機能が誤動作することを抑制する。
また、第１電子制御装置１１がＣＰＵ１１ａの電源電圧Ｖｃｃの高電圧異常を検知しているパターン３又はパターン４において、図２に示した例では、警告関連の機能と安全関連の機能とを継続させる構成としたが、図３に示す例では、警告関連の機能のみを継続させ、走行関連の機能、安全関連の機能、機能安全に影響する機能を停止させる。
【００３９】
これにより、電源電圧Ｖｃｃの高電圧異常が発生しても第１電子制御装置１１のＣＰＵ１１ａが正常動作していれば、警告関連の機能は継続されることになり、警告関連の機能によって車両の安全性に寄与できる。
【００４０】
以上、好ましい実施形態を参照して本発明の内容を具体的に説明したが、本発明の基本的技術思想及び教示に基づいて、当業者であれば種々の変形態様を採り得ることは自明である。
例えば、第１電子制御装置１１は、ＡＤＡＳの制御装置に限定されるものではなく、複数種の制御機能を備える第１電子制御装置１１において、ＣＰＵ１１ａの電源電圧Ｖｃｃの高電圧異常が発生したときに、複数種の制御機能のうちの一部を継続させ、残りの機能を停止させる構成とすることができる。この場合、継続させる機能は、動作が不安定になった場合でも車両の安全性への影響が比較的小さい機能であり、逆に、停止させる機能は、動作が不安定になることで車両の安全性に大きな影響を与える可能性がある機能である。
【００４１】
また、第１電子制御装置１１のＣＰＵ１１ａの電源電圧Ｖｃｃの監視を、第１電子制御装置１１と他の電子制御装置（例えば、第２電子制御装置１２）との双方で行う構成に限定されず、第１電子制御装置１１と他の電子制御装置とのいずれか一方で電源電圧Ｖｃｃの監視を行う構成とすることができる。
【００４２】
また、ＡＤＡＳ機能のうちで継続させる機能と停止させる機能とを、走行関連の機能、安全関連の機能、機能安全に影響する機能、警告関連の機能の４つの種別単位で選択する構成に限定されず、例えば、警告関連の機能や安全関連の機能に含まれる複数種の機能について継続させる機能と停止させる機能とを選択する設定とすることができる。
【符号の説明】
【００４３】
１１…第１電子制御装置（メイン制御装置）、１１ａ…ＣＰＵ（演算処理装置）、１１ｂ…バッテリ電圧監視回路、１１ｃ…電源回路、１１ｄ…電源電圧監視回路、１１ｅ…ＣＰＵ監視回路、１１ｆ…ＣＡＮ通信回路、１２…第２電子制御装置（サブ制御装置）
【図１】
2015093498.tif 000003
【図２】
2015093498.tif 000004
【図３】
2015093498.tif 000005